(57)【要約】本発明は切替方法及び端末を開示した。この方法は、端末は、端末を目標セルへ切り替えるように指示するための切替命令を受信するステップと、端末は、目標セルへの切替プロセスを実行して、切替プロセスの成功を確定するまでにソースセルとのデータ通信を保持するステップと含む。本発明は、移動性管理において切替の中断時間を短縮更に除去でき、シームレス切替の目的を達成し、ユーザのサービス体験を向上させる。
2013516869.tif 000002
【特許請求の範囲】
【請求項１】
端末は、前記端末を目標セルへ切り替えるように指示するための切替命令を受信するステップと、
前記端末は、前記目標セルへの切替プロセスを実行して、前記切替プロセスの成功を確定するまでにソースセルとのデータ通信を保持するステップと、
を含むことを特徴とする切替方法。
【請求項２】
前記切替プロセスは、ランダムアクセスプロセスを含むことを特徴とする請求項１に記載の方法。
【請求項３】
前記端末は前記目標セルへの前記ランダムアクセスプロセスを完成した後、前記方法は更に、
前記端末が前記ソースセルとのデータ通信を中断することを含むことを特徴とする請求項２に記載の方法。
【請求項４】
前記端末は前記目標セルへの前記ランダムアクセスプロセスを完成した後、前記方法は更に、
前記端末は前記目標セルとデータ通信を開始することを含むことを特徴とする請求項３に記載の方法。
【請求項５】
前記ランダムアクセスプロセスは、衝突ありランダムアクセスプロセス及び衝突なしランダムアクセスプロセスの１つを含むことを特徴とする請求項４に記載の方法。
【請求項６】
前記端末は前記目標セルへの前記衝突ありランダムアクセスプロセスを実行するステップは、
前記端末は前記目標セルにランダムアクセスリードを送信することと、
前記端末は前記目標セルからのランダムアクセス応答メッセージを受信することと、
前記端末は前記目標セルに端末の目標セルにおける臨時識別子Ｃ−ＲＮＴＩが載せられているＭｅｓｓａｇｅ３を送信し、
前記端末は前記目標セルからのＭｅｓｓａｇｅ４を受信し、そしてランダムアクセス衝突が解決したことを確認することとを含むことを特徴とする請求項５に記載の方法。
【請求項７】
前記Ｍｅｓｓａｇｅ３は１つの媒体アクセス制御ＭＡＣ層のメッセージ又は物理層のメッセージであることを特徴とする請求項６に記載の方法。
【請求項８】
前記Ｍｅｓｓａｇｅ３はＭＡＣ層の制御セールであることを特徴とする請求項７に記載の方法。
【請求項９】
前記Ｍｅｓｓａｇｅ４は１つのＭＡＣ層のメッセージ又は物理層のメッセージであることを特徴とする請求項６に記載の方法。
【請求項１０】
前記Ｍｅｓｓａｇｅ４は端末の目標セルにおける臨時識別子Ｃ−ＲＮＴＩの内容が含まれる物理層物理ダウンリンク制御チャネルＰＤＣＣＨシグナルを含むことを特徴とする請求項９に記載の方法。
【請求項１１】
前記端末は前記Ｍｅｓｓａｇｅ４を受信し、且つ衝突が既に解決したことを確認した場合に、前記端末は前記切替プロセスが既に成功したことを確定することを特徴とする請求項６に記載の方法。
【請求項１２】
前記ランダムアクセスは応答メッセージ及び／又はＭｅｓｓａｇｅ４は前記目標セルが前記ソースセルを介して又は直接的に前記端末に送信したものであり、
前記Ｍｅｓｓａｇｅ３は前記端末が前記ソースセルを介して又は直接的に前記目標セルに送信したものであることを特徴とする請求項６に記載の方法。
【請求項１３】
前記端末は前記目標セルへの前記衝突なしランダムアクセスプロセスを実行するステップは、
前記端末は前記目標セルに前記目標セルが前記端末に配置した専用リソースであるランダムアクセスリードを送信することと、
前記端末は前記目標セルへのランダムアクセス応答メッセージを受信することとを含むことを特徴とする請求項５に記載の方法。
【請求項１４】
前記ランダムアクセス応答メッセージは前記目標セルが前記ソースセルを介して又は直接的に前記端末に送信したものであることを特徴とする請求項１３に記載の方法。
【請求項１５】
前記端末は前記ランダムアクセス応答メッセージを受信した後、前記端末は前記切替プロセスが既に成功したことを確定することを特徴とする請求項１３に記載の方法。
【請求項１６】
前記端末は前記切替プロセス成功を確定した後、目標セルに切替完成メッセージを送信することを特徴とする請求項１１又は１５に記載の方法。
【請求項１７】
前記端末は前記切替命令を受信した後、且つ前記切替プロセスが成功する前、１つ又は複数のアップリンク搬送波及び／又は１つ又は複数のダウンリンク搬送波は前記切替命令の要求に応じて底層プロトコルの配置を更新し、且つ前記目標セルとランダムアクセスプロセスを行うことを特徴とする請求項１〜１５のいずれか１項に記載の方法。
【請求項１８】
前記底層プロトコルは搬送波に関連するＭＡＣ層プロトコル及び物理層プロトコルであることを特徴とする請求項１７に記載の方法。
【請求項１９】
前記端末は前記切替プロセスが成功した後に、前記切替命令の要求に応じて他の搬送波の底層プロトコルの配置を更新し、ここで、前記他の搬送波はランダムアクセスプロセスを実行する搬送波以外、前記切替命令に配置した他の搬送波であることを特徴とする請求項１〜１５のいずれか１項に記載の方法。
【請求項２０】
前記底層プロトコルは搬送波に関連するＭＡＣ層プロトコル及び物理層プロトコルであることを特徴とする請求項１９に記載の方法。
【請求項２１】
前記端末は前記切替プロセスが成功した後に、前記切替命令の要求に応じて高層プロトコルの配置を更新することを特徴とする請求項１〜１５のいずれか１項に記載の方法。
【請求項２２】
前記高層プロトコルは搬送波に関連しないパケットデータ集中層ＰＤＣＰ、無線リンク制御層ＲＬＣ及びＭＡＣ層プロトコルを含むことを特徴とする請求項２１に記載の方法。
【請求項２３】
前記高層プロトコルは搬送波に関連しない無線リソース制御層ＲＲＣ層プロトコルを含むことを特徴とする請求項２１に記載の方法。
【請求項２４】
前記端末は前記切替プロセスが成功した後に、ユーザ面プロトコルのリセットプロセスを完成し、ここで、前記リセットはＭＡＣ層リセット、ＰＤＣＰ及びＲＬＣ層の再構築を含むことを特徴とする請求項１〜１５のいずれか１項に記載の方法。
【請求項２５】
前記ユーザ面プロトコルはＰＤＣＰ、ＲＬＣ及びＭＡＣ層プロトコルを含むことを特徴とする請求項２４に記載の方法。
【請求項２６】
端末を目標セルへ切り替えるように指示するための切替命令を受信する切替モジュールと、
前記目標セルへの切替プロセスを実行するための通信モジュールと、
切替プロセスの成功を確定するまでにソースセルとのデータ通信を保持するための第１のデータ通信モジュールと、
を含むことを特徴とする端末。
【請求項２７】
前記第１のデータ通信モジュールは、更に、前記切替プロセスがランダムアクセスプロセスである場合に、前記通信モジュールが前記目標セルへの前記ランダムアクセスプロセスを完成した後、前記ソースセルとのデータ通信を中断することに用いることを特徴とする請求項２６に記載の端末。
【請求項２８】
前記通信モジュールは、更に、前記目標セルへの衝突ありランダムアクセスプロセスを実行する場合に、前記目標セルに公共リードコードが載せられているランダムアクセスリードを送信し、前記目標セルが直接送信し又は前記目標セルが前記ソースセルを介して伝送された時間前進量及び／又はアップリンクリンク授権情報が載せられているランダムアクセス応答メッセージを受信すること、前記目標セルに端末の目標セルにおける臨時識別子Ｃ−ＲＮＴＩが載せられているＭｅｓｓａｇｅ３を送信すること、前記目標セルからの物理層物理ダウンリンク制御チャネルＰＤＣＣＨシグナルが含まれるＭｅｓｓａｇｅ４を受信し、そしてランダムアクセス衝突が解決したことを確定すること、前記目標セルに切替完成を指示することに用いるＭｅｓｓａｇｅ５を送信すること、に用いられるを特徴とする請求項２７に記載の端末。
【請求項２９】
前記通信モジュールは、更に、前記目標セルへの衝突なしランダムアクセスプロセスを実行する場合に、前記目標セルに前記目標セルが前記端末に配置した専用リソースであるランダムアクセスリードを送信すること、前記目標セルは直接送信し又は前記目標セルが前記ソースセルを介して送信したランダムアクセス応答メッセージを受信すること、前記目標セルに切替完成を指示することに用いるＭｅｓｓａｇｅ３を直接送信すること、に用いられるを特徴とする請求項２７に記載の端末。
【請求項３０】
前記通信モジュールは、更に、前記切替モジュールが前記切替命令を受信した後、且つ前記切替プロセスが成功する前、１つ又は複数のアップリンク搬送波及び／又は１つ又は複数のダウンリンク搬送波が前記切替命令の要求に応じて搬送波に関連するＭＡＣ層プロトコル及び物理層プロトコルである底層プロトコルの配置を更新し、且つ前記目標セルとランダムアクセスプロセスを行うことに用いることを特徴とする請求項２７に記載の端末。
【請求項３１】
前記通信モジュールは、更に、前記切替プロセスが成功した後、前記切替命令の要求に応じてランダムアクセスプロセスを実行する搬送波以外の、前記切替命令に配置した他の搬送波である他の搬送波の底層プロトコル（前記底層プロトコルは搬送波に関連するＭＡＣ層プロトコル及び物理層プロトコルである）の配置を更新することに用いることを特徴とする請求項２７に記載の端末。
【請求項３２】
前記通信モジュールは、更に、前記切替プロセスが成功した後、前記切替命令の要求に応じて高層プロトコル（前記高層プロトコルは搬送波に関連しないパケットデータ集中層ＰＤＣＰ、無線リンク制御層ＲＬＣ及びＭＡＣ層プロトコルを含む）の配置を更新することに用いることを特徴とする請求項２７に記載の端末。
【請求項３３】
前記通信モジュールは、ランダムアクセスＲＡＣＨモジュール及び第２のデータ通信モジュールの１つを含むことを特徴とする請求項２６〜３２のいずれか１項に記載の端末。
【請求項３４】
前記第２のデータ通信モジュールは、更に、前記第１のデータ通信モジュールが前記ソースセルとのデータ通信を中断した後又は前、前記目標セルとデータ通信を開始すること、前記第１のデータ通信モジュールが前記ソースセルとのデータ通信を中断した後又は前、前記切替プロセス成功を確定した後前記目標セルに切替完成メッセージを送信することに用いることを特徴とする請求項３３に記載の端末。
【発明の詳細な説明】
【技術分野】
【０００１】
本発明は通信分野に関し、具体的には、切替方法及び端末に関する。
【背景技術】
【０００２】
図１は関連技術によるユーザ設備（又は端末と称する）（Ｕｓｅｒ  Ｅｑｕｉｐｍｅｎｔ，ＵＥと略称）と基地局（ｅＮｏｄｅＢ，ｅＮＢと略称）間プロトコルスタックの模式図である。図１に示すように、長期発展型システム（Ｌｏｎｇ  Ｔｅｒｍ  Ｅｖｏｌｕｔｉｏｎ，ＬＴＥと略称）においてＵＥとｅＮＢ間インターフェースのプロトコルスタックは下から上までの順に以下の幾つのプロトコル層に分けられている：物理層（Ｐｈｙｓｉｃａｌ  ｌａｙｅｒ，ＰＨＹと略称）、媒体アクセス制御層（Ｍｅｄｉａ  Ａｃｃｅｓｓ  Ｃｏｎｔｒｏｌ，ＭＡＣと略称）、無線リンク制御層（Ｒａｄｉｏ  Ｌｉｎｋ  Ｃｏｎｔｒｏｌ，ＲＬＣと略称）、パケットデータ統合プロトコル層（Ｐａｃｋｅｔ  Ｄａｔａ  Ｃｏｎｖｅｒｇｅｎｃｅ  Ｐｒｏｔｏｃｏｌ，ＰＤＣＰと略称）及び無線リソース制御層（Ｒａｄｉｏ  Ｒｅｓｏｕｒｃｅ  Ｃｏｎｔｒｏｌ，ＲＲＣと略称）。ここで、ＰＨＹ層は主に伝送チャネルを介してＭＡＣ又は高層に情報を伝送する。ＭＡＣ層は主にロジックチャネルを介してデータ伝送を提供し、無線リソースの配布を行い、混合自動再送要求（Ｈｙｂｒｉｄ  ＡＲＱ，ＨＡＲＱと略称）、スケジューリング（Ｓｃｈｅｄｕｌｉｎｇ，ＳＣＨと略称）、優先度処理及び多重化と逆多重化（Ｍｕｌｔｉｐｌｅｘｉｎｇ，ＭＵＸと略称）等の機能を果たす。ＲＬＣ層は主にユーザと制御データの分段と再送サービスを提供する。ＰＤＣＰ層は主にＲＲＣ又はユーザ面上層にユーザデータを伝送する。ＲＲＣ層は主に放送（Ｂｒｏａｄｃａｓｔ）、ページング（Ｐａｇｉｎｇ）、無線リソース制御接続管理、無線搬送制御、移動性機能、端末測定報告と制御を完成する。ＵＥは基地局にデータを送信する前、基地局とのアップリンクとの同期を取得する必要があり、即ち、送信時間前進量（Ｔｉｍｅ  Ａｄｖａｎｃｅ，ＴＡと略称）を取得し、ＵＥはランダムアクセスプロセスによりこの目的を達成し、このプロセスはＭＡＣ層で実現される。
【０００３】
移動ユーザに更に高いデータ速度を提供するために、高級長期発展型システム（Ｌｏｎｇ  Ｔｅｒｍ  Ｅｖｏｌｕｔｉｏｎ  Ａｄｖａｎｃｅ，ＬＴＥ−Ａと略称）は搬送波集約技術（Ｃａｒｒｉｅｒ  Ａｇｇｒｅｇａｔｉｏｎ、ＣＡと略称）を提出し、その目的は相応能力のあるＵＥに更に大きな広帯域を提供し、ＵＥのピーク値速度を提供することにある。ＬＴＥでは、システムが支援する最大ダウンリンク伝送帯域は２０ＭＨｚであり、搬送波集約は２つ又は更に多いコンポーネント搬送波（Ｃｏｍｐｏｎｅｎｔ  Ｃａｒｒｉｅｒｓ，ＣＣと略称）を集約して２０ＭＨｚより大きくても支援し、最大にも１００ＭＨｚの伝送帯域を超えない。ＵＥと基地局間のインターフェースプロトコルスタックは主にＭＡＣとＰＨＹ層の異なりとして反映される。ＰＨＹ層はＣＣが専用するものであり、ＭＡＣ層のは異なっていて、図２（３６．９１２においてＦｉｇｕｒｅ  ５．２．１−２  Ｌａｙｅｒ  ２  Ｓｔｒｕｃｔｕｒｅ  ｆｏｒ  ｔｈｅ  ＵＬ）を例として見れば、ＭＡＣ層におけるＨＡＲＱはＣＣが専用するものであり、スケジューリング、優先度処理及び多重化と逆多重化等はＣＣが共用するものである。
【０００４】
現在、周波数スペクトルリソースは不足している場合に、周波数領域で連続しているコンポーネント搬送波は事業者に配布されて使用されることができないことが存在する可能性があるため、搬送波集約は各コンポーネント搬送波が周波数領域で連続するかによって、連続搬送波集約と非連続搬送波集約に分けられ、連続搬送波集約とは、各コンポーネント搬送波が周波数領域で互に接続しているものである。非連続搬送波集約とは、各コンポーネント搬送波間が周波数領域で接続しないものである。搬送波集約は各コンポーネント搬送波が同一周波数帯内に位置するかによって、単一周波数帯（ｓｉｎｇｌｅ  ｂａｎｄ）の搬送波集約とオーバ周波数帯（ｏｖｅｒ  ｍｕｌｔｉｐｌｅ  ｆｒｅｑｕｅｎｃｙ  ｂａｎｄｓ）の搬送波集約に分けられ、単一周波数帯の搬送波集約とは、搬送波集約に参与するすべてのコンポーネント搬送波は同一な周波数帯内に位置するものであり、単一周波数帯の搬送波集約は連続搬送波集約でよく非連続搬送波集約でもよい。オーバ周波数帯の搬送波集約とは、搬送波集約に参与するコンポーネント搬送波は異なる周波数帯からのものでよく、オーバ周波数帯の搬送波集約は非連続搬送波集約のみである。搬送波集約能力を持つＬＴＥ−Ａ  ＵＥは、同時に複数のコンポーネント搬送波でデータを受送信できるが、ＬＴＥ  ＵＥは１つのＬＴＥ互換のコンポーネント搬送波でデータを受送信できる。これに対応して、ＵＥの送信設備と受信設備は１つのセットのベースバンド設備でよく、即ち、１つの単一周波数帯域、帯域は２０ＭＨｚより大きいものであり、又は、複数セットのベースバンド設備でもよく、即ち、マルチバンドであり、各周波数帯域帯域は２０ＭＨｚより小さいものである。
【０００５】
移動通信システムでは、サービス品質を保証し、ユーザに良好なサービス体験を与えるために、ＵＥは１つのセルでネットワークに接続された後、ＵＥは依然としてサービスセルと隣接のセルの信号品質を測定し、適当なセルを選択して切替を行い、これで移動性の要求を満たす。図３は関連技術による切替のフロー図であり、図３に示すように、ＬＴＥシステムでは、ＵＥはネットワーク側からの命令を受信して切替を行う必要がある場合に（図３においてＡ点）、ユーザ面はリセットして（ＭＡＣ層リセットとＰＤＣＰ、ＲＬＣ層の再構築を含む）切替命令の要求に応じてＭＡＣ、ＰＤＣＰ及びＲＬＣ層の配置を更新し、ここで、目標セルのなりすまし防止アルゴリズム（ｉｎｔｅｇｒｉｔｙ  ｐｒｏｔｅｃｔｉｏｎ  ａｌｇｏｒｉｔｈｍ）及び暗号化アルゴリズム（ｃｉｐｈｅｒｉｎｇ  ａｌｇｏｒｉｔｈｍ）を用いた底層の配置も含んでおり、目標セルでランダムアクセスを行い、ランダムアクセスを完成した後、ＵＥは目標セルと通信（図３においてＢ点）を行え、ＵＥは目標セルに切替完成命令を送信する。ＵＥは目標セルでランダムアクセスプロセスを行う場合に、ＵＥの能力の問題によって、ソースセルとのデータ通信を中断する。Ａ点とＢ点との間に、ＵＥとソースセル及び目標セルとは正常に通信できない、切替の中断時間と称し、この中断時間はランダムアクセスプロセスが占用する時間であり、即ち、ランダムアクセスの開始と完成間の時間である。
【０００６】
搬送波集約の場合に、移動性管理において切替の中断時間は１０．５ミリ秒（３６．９１２において１６．５節、表Ｔａｂｌｅ  １６．５−１：Ｕ−Ｐｌａｎｅ  ｉｎｔｅｒｒｕｐｔｉｏｎ  ｉｎ  ＬＴＥ−Ａｄｖａｎｃｅｄを参照）を要求し、現在、実際には、この中断時間は約２０〜３０ミリ秒である。３６．９１２における表Ｔａｂｌｅ  １６．５−１の記載によれば、ランダムアクセスプロセスが占用する時間は切替中断時間の主な組成部分であり、切替端末時間が長すぎるとＵＥの正常サービスに大きな影響を与える。
【発明の概要】
【０００７】
本発明の主な目的は、少なくとも、関連技術におけるランダムアクセスプロセスが占用する時間が長いことによる切替中断時間が長くなることによる端末の正常サービスに影響する問題を解決するために、切替方案を提供することにある。
【０００８】
上述目的を実現するために、本発明の一方によれば、切替方法を提供した。
【０００９】
本発明による切替方法は、端末は端末を目標セルへ切り替えるように指示するための切替命令を受信するステップと、端末は目標セルへの切替プロセスを実行して、切替プロセスの成功を確定するまでにソースセルとのデータ通信を保持する。
【００１０】
上述目的を実現するために、本発明の他方によれば、端末を提供した。
【００１１】
本発明による端末は、端末を目標セルへ切り替えるように指示するための切替命令を受信する切替モジュールと、目標セルへの切替プロセスを実行するための通信モジュールと、切替プロセスの成功を確定するまでにソースセルとのデータ通信を保持するための第１のデータ通信モジュールとを含む。
【００１２】
本発明によれば、端末は目標セルへの切替プロセスを実行し、そして切替プロセスの成功を確定するまでにソースセルとのデータ通信を保持する方法を用いて、関連技術におけるランダムアクセスプロセスが占用する時間が長いことによる切替中断時間が長くなることによる端末の正常サービスに影響する問題を解決し、更に移動性管理において切替の中断時間を短縮、更に除去でき、シームレス切替の目的を達成し、ユーザのサービス体験を向上させる。
【図面の簡単な説明】
【００１３】
図面は、本発明をよりよく理解するために提供するもので、本願の一部となり、本発明の模式的実施例及びその説明は、本発明を説明することに用いられ、本発明を不当に限定するものではない。
【図１】関連技術によるＵＥと基地局間のプロトコルスタックの模式図である。
【図２】関連技術によるＭＡＣアップリンク構造の模式図である。
【図３】関連技術による切替のフロー図である。
【図４】本発明実施例による切替方法のフロー図である。
【図５】本発明実施例による切替方法の模式図である。
【図６】本発明実施例による切替方法のプロセス模式図である。
【図７】関連技術によるＵＥ組成構造の模式図である。
【図８】本発明実施例によるＵＥ組成構造の模式図である。
【図９】本発明実施例による好適な実例１の模式図である。
【図１０】本発明実施例による好適な実例１のフロー図である。
【図１１】本発明実施例による好適な実例２の模式図である。
【図１２】本発明実施例による好適な実例３の模式図である。
【図１３】本発明実施例による好適な実例３のフロー図である。
【図１４】本発明実施例による好適な実例４の模式図である。
【図１５】本発明実施例による好適な実例５の模式図である。
【発明を実施するための形態】
【００１４】
以下、図面と実施例を参照しながら、本発明を詳しく説明する。特に説明するのは、対立してない場合に、本案における実施例及び実施例における特徴を相互に組み合せてもよい。
【００１５】
本発明の実施例によれば、切替方法を提供した。図４は本発明実施例による切替方法のフロー図である。図４に示すように、この方法は以下のステップを含む：
ステップＳ４０２において、端末は切替命令を受信し、ここで、切替命令は端末を目標セルに切り替えるように指示する。
ステップＳ４０４において、端末は目標セルへの切替プロセスを実行し、そして、切替プロセスの成功を確定するまでにソースセルとのデータ通信を保持する。ここで、上述切替プロセスは、ランダムアクセスプロセスを含む。
【００１６】
具体的には、この方法は以下のように理解してよい：端末は、切替を行う前にソースセルとのデータ通信を保持し、端末は１つの目標セルへ切り替えするような命令を受信した場合に、目標セルへの切替プロセスを実行する、好ましくは、端末は目標セルへの切替が成功したことを確定した後（例えば、ランダムアクセスプロセスを完成した後）、端末はソースセルとのデータ通信を中断し、目標セルとのデータ通信を開始し、又はまず目標セルとのデータ通信を開始し、その後、ソースセルとのデータ通信を中断する。
【００１７】
この後、端末は目標セルに切替完成メッセージを送信する。
【００１８】
上述ランダムアクセスプロセスは以下の１つを含む：衝突ありランダムアクセスプロセス、衝突なしランダムアクセスプロセス。
【００１９】
ここで、端末は目標セルへの衝突ありランダムアクセスプロセスを実行するステップは以下の動作を含む：
（１）端末は目標セルに公共リードコードが載せられているランダムアクセスリードを送信する。
（２）端末は、時間前進量及び／又はアップリンクリンク授権情報が載せられている、目標セルからのランダムアクセス応答メッセージを受信する。
（３）端末は目標セルにＭｅｓｓａｇｅ３を送信し、ここで、Ｍｅｓｓａｇｅ３は１つのＭＡＣ層のメッセージ又は物理層のメッセージであり、好ましくは、Ｍｅｓｓａｇｅ３はＭＡＣ層の制御情報要素であり、端末の目標セルにおける臨時識別子Ｃ−ＲＮＴＩが載せられている。
（４）端末は目標セルからのＭｅｓｓａｇｅ４を受信し、そして、ランダムアクセス衝突が解決したことを確認し、ここで、Ｍｅｓｓａｇｅ４は１つのＭＡＣ層のメッセージ又は物理層のメッセージであり、物理層物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨと略称）シグナルを含み、ここで、上述ＰＤＣＣＨシグナル内には端末の目標セルにおける臨時識別子Ｃ−ＲＮＴＩの内容を含む。端末はＭｅｓｓａｇｅ４を受信すると、且つ衝突が既に解決したことを確認すると、端末は切替プロセスが既に成功したを判定（確定）する。
（４）の後、この方法は更に、端末は目標セルに切替完成を指示するためのＭｅｓｓａｇｅ５を送信し、ここで、Ｍｅｓｓａｇｅ５は切替完成を指示する。
【００２０】
説明すべきのは、ランダムアクセス応答メッセージ及び／又はＭｅｓｓａｇｅ４は目標セルがソースセルを介して又は直接に端末に送信するものであり、Ｍｅｓｓａｇｅ３は端末がソースセルを介して又は直接に目標セルに送信するものである。
【００２１】
ここで、端末は目標セルへの衝突なしランダムアクセスプロセスを実行することは、端末は目標セルに目標セルが端末に配置した専用リソースである専用リードコードが載せられているランダムアクセスリードを送信することと、端末は目標セルが直接送信したランダムアクセス応答メッセージを受信し、又は端末は目標セルがソースセルを介して送信した、時間前進量及び／又はアップリンクリンク授権情報が載せられているランダムアクセス応答メッセージを受信し、端末はランダムアクセス応答メッセージを受信した後、切替プロセスが既に成功したことを判定（確定）することと、端末は切替プロセス成功を確定した後、端末は目標セルに切替完成を指示するためのＭｅｓｓａｇｅ３を送信することとを含む。
【００２２】
端末は切替命令を受信した後、且つ切替プロセス成功を確定する前に、１つ又は複数のアップリンク搬送波及び／又は１つ又は複数のダウンリンク搬送波は切替命令の要求に応じて底層プロトコルの配置を更新し、且つ目標セルとランダムアクセスプロセスを行う。
【００２３】
端末は切替プロセス成功を確定した後、切替命令の要求に応じて他の搬送波の底層プロトコルの配置を更新し、上述の他の搬送波とは、上述の実行ランダムアクセスプロセスの搬送波以外、切替命令に配置された他の搬送波である。
【００２４】
上述底層プロトコルとは搬送波関連のＭＡＣ層プロトコル及び物理層プロトコルである。
【００２５】
上述端末は上述の切替プロセス成功を確定した後、上述切替命令の要求に応じて高層プロトコルの配置を更新する。
【００２６】
上述高層プロトコルは搬送波に関連しないＰＤＣＰ、ＲＬＣ及びＭＡＣ層プロトコルを含む。
【００２７】
上述高層プロトコルは搬送波に関連しないＲＲＣ層プロトコルを含む。
【００２８】
上述端末は上述切替プロセス成功を確定した後、ユーザ面プロトコルのＭＡＣ層リセット、ＰＤＣＰ及びＲＬＣ層の再構築を含むリセットプロセスを完成する。
【００２９】
上述ユーザ面プロトコルはＰＤＣＰ、ＲＬＣ及びＭＡＣ層プロトコルを含む。
【００３０】
上述実施例により、端末は目標セルのランダムアクセスプロセスにおいて依然としてソースセルとのデータ通信を保持するようになり、これにより、移動性管理において切替の中断時間を短縮更に除去するができる。なお、端末とソースセルのデータ通信中断の時間はランダムアクセスプロセスを完成した後にあることを明確にした。
【００３１】
説明すべきのは、本実施例に記載のデータ通信とは端末と基地局との間にユーザ面又は制御面のデータパケットを交換することである。切替実行プロセスの主な機能は端末が目標セルにおけるアップリンク同期情報を取得することにより、目標セルでのデータ通信プロセスを開始する。一般的に、この切替実行プロセスはランダムアクセスのプロセスを含む。例えば、ランダムアクセスプロセスにおけるアップリンクランダムアクセスリソースは端末自身が選択して決定した場合、このランダムアクセスプロセスは更に身分衝突の問題を解決する必要がある。
【００３２】
以下、図５、図６に基づいて上述ステップを説明する。図５は本発明実施例による切替方法の模式図である。図５に示すように、図５の（ａ）において、ＵＥはソースセルと（例えば、ｃｅｌｌ１）正常に通信する。図５の（ｂ）において、ＵＥは目標セル（例えばｃｅｌｌ２）へ切り替える命令を受信すると、直ちにｃｅｌｌ２でランダムアクセスを開始させるが、ｃｅｌｌ１との通信は依然として続く。図５の（ｃ）において、ＵＥはｃｅｌｌ２でランダムアクセス成功し、ｃｅｌｌ２と正常に通信し、そして、ｃｅｌｌ１の通信を中断し、切替を完成する。
【００３３】
図６は本発明実施例による切替方法のプロセス模式図である。図６に示すように、端末は始めの時にソースセルとデータ通信を行う。図６におけるＡ点では、端末は切替命令を受信した。ソースセルとの通信を保持するとともに、目標セルでランダムアクセスプロセスを開始する。ランダムアクセスプロセスを完成した後、端末はＢ点でソースセルとの通信を中断し、そして、目標セルとの通信を開始する。端末は更に目標セルに切替完成のメッセージを通知する。
【００３４】
好ましくは、上述目標セルとソースセルは同一な基地局に位置してもよく、異なる基地局に位置してもよい。時間では、同期してもよく、又は同期しなくてもよい。同一な周波数帯域に位置してもよく、異なる周波数帯域に位置してもよい。
【００３５】
上述ステップは上述順序により実行されなくてもよいことが好ましい。例えば、端末はＢ点に位置し、まず目標セルとの通信を開始し、そして、ソースセルとの通信を中断してもよい。
【００３６】
関連技術において、ＵＥは切替動作を完成するために、以下の幾つ種類のロジックモジュールを含んでよい：切替モジュール（受信ネットワーク側を含む切替命令モジュール，ＨＯと略称）、測定モジュール（受信ネットワーク側の測定制御命令を含んで測定と測定報告を実行するモジュール，ＭＭと略称）、及びデータ通信モジュール（基地局交換ユーザ面又は制御面とのデータパケットの交換を実行するモジュール，ＤＣと略称）。図７は関連技術によるＵＥ組成構造の模式図である。図７に示すように、ここでのデータ通信モジュールはプロトコル層から見れば、下から順に、ＰＨＹ、ＭＡＣ、ＲＬＣ、ＰＤＣＰプロトコル層の処理を含み、勿論、ＭＡＣ層がランダムアクセスプロセスを実行するモジュールを更に含み、ＭＡＣ層は約ＳＣＨ、ＭＵＸ、ＲＡＣＨ、ＨＡＲＱという幾つの部分に分けられる。
【００３７】
図８は本発明実施例によるＵＥ組成構造の模式図である。図８に示すように、本実施例において切替を完成するために、図８に示すように、ＵＥの能力に応じて、ＤＣモジュールは複数があってもよい。端末のもうひとつの実現方式は図８の（ｂ）に示すように、（ｂ）において、１つのランダムアクセス（Ｒａｎｄｏｍ  Ａｃｃｅｓｓ  Ｃｈａｎｎｅｌ，ＲＡＣＨと略称）モジュールを追加し、このモジュールはＤＣモジュールから分離された１つの単独なモジュールでよく、目標セルのダウンリンクシステム時間に基づいて動作でき、且つランダムアクセス機能を完成でき、衝突又は非衝突に基づくランダムアクセスプロセスを含む。衝突に基づくランダムアクセスプロセスにとって、このＲＡＣＨモジュールは同時にＨＡＲＱの機能を完成する必要がある。ＲＡＣＨモジュールはそれに対応する単独立なＰＨＹ層を必要とする。以下、端末におけるモジュールに基づいて本実施例における切替を詳しく説明する。
【００３８】
本発明の実施例によれば、提供された端末は、端末を目標セルへ切り替えるように指示するための切替命令を受信する切替モジュールと、目標セルへの切替プロセスを実行するための通信モジュールと、切替プロセスの成功を確定するまでにソースセルとのデータ通信を保持するための第１データ通信モジュールとを含む。
【００３９】
説明すべきのは、通信モジュールがランダムアクセスＲＡＣＨモジュール又は第２データ通信モジュールの１つを含む。
【００４０】
好ましくは、第１データ通信モジュールは、更に、切替プロセスがランダムアクセスプロセスである場合に、通信モジュールが目標セルへのランダムアクセスプロセスを完成した後、ソースセルとのデータ通信を中断することに用いられる。
【００４１】
好ましくは、上述第２データ通信モジュールは、更に、第１データ通信モジュールがソースセルとのデータ通信を中断した後又は前、目標セルとのデータ通信を開始すること、第１データ通信モジュールがソースセルとのデータ通信を中断した後又は前、切替プロセス成功を確定した後、目標セルに切替完成メッセージを送信することに用いられる。
【００４２】
好ましくは、通信モジュールは、更に、目標セルへの衝突ありランダムアクセスプロセスを実行する場合に、目標セルに公共リードコードが載せられているランダムアクセスリードを送信すること、時間前進量及び／又はアップリンクリンク授権情報が載せられている目標セルからのランダムアクセス応答メッセージを受信すること、目標セルに端末の目標セルにおける臨時識別子Ｃ−ＲＮＴＩが載せられている、ＭＡＣ層のメッセージ又は物理層のメッセージであるＭｅｓｓａｇｅ３を送信すること、目標セルからの１つのＭＡＣ層のメッセージ又は物理層のメッセージであるＭｅｓｓａｇｅ４（物理層ＰＤＣＣＨシグナルが載せられて、ここで、ＰＤＣＣＨシグナルに端末が目標セルにおいて臨時識別子Ｃ−ＲＮＴＩの内容が含まれる）を受信し、ランダムアクセス衝突解決を確定すること、端末はＭｅｓｓａｇｅ４を受信し、そして衝突が既に解決したことを確認し、端末は切替プロセスが既に成功したことを考え（確定）、目標セルに切替完成を指示するためのＭｅｓｓａｇｅ５を送信することに用いられる。
【００４３】
好ましくは、通信モジュールは、更に、目標セルへの衝突なしランダムアクセスプロセスを実行する場合に、目標セルに専用リードコードが載せられているランダムアクセスリード（目標セルが端末に配置した専用リソースである）を送信すること、目標セルから直接又はソースセル経由で送信されたランダムアクセス応答メッセージ（時間前進量及び／又はアップリンクリンク授権情報が載せられている）を受信すること、端末はランダムアクセス応答メッセージを受信した後、切替プロセスが既に成功したことを判定（確定）し、目標セルに切替完成を指示するためのＭｅｓｓａｇｅ３を送信することに用いられる。
【００４４】
通信モジュールは、更に、切替モジュールが切替命令を受信した後、且つ切替プロセスが成功する前、１つ又は複数のアップリンク搬送波及び／又は１つ又は複数のダウンリンク搬送波が切替命令の要求に応じて底層プロトコル（底層プロトコルとは搬送波に関連するＭＡＣ層プロトコル及び物理層プロトコルである）の配置を更新し、且つ目標セルとランダムアクセスプロセスを行うことに用いられる。
【００４５】
通信モジュールは、更に、切替プロセスが成功した後、切替命令の要求に応じて他の搬送波（他の搬送波とは、ランダムアクセスプロセスを実行する搬送波以外、切替命令に配置した他の搬送波である）の底層プロトコル（底層プロトコルとは搬送波に関連するＭＡＣ層プロトコル及び物理層プロトコルである）の配置を更新することに用いられる。
【００４６】
通信モジュールは、更に、切替プロセスが成功した後、切替命令の要求に応じて高層プロトコル（高層プロトコルは搬送波に関連しないパケットデータ集中層ＰＤＣＰ、無線リンク制御層ＲＬＣ及びＭＡＣ層プロトコルを含む）の配置を更新することに用いられる。
【００４７】
以下、図面に基づいて本実施例の好適な実例を詳しく説明する。以下の好適な実例において、ＬＴＥ−Ａセルにおける各コンポーネント搬送波は同期であったり、又は同期ではなかったり、ＬＴＥ又はＬＴＥ−Ａのソースセルと目標セルの搬送波とは同期であったり、又は同期ではなかったり、ＬＴＥ又はＬＴＥ−Ａのソースセルと目標セルは同一な基地局に位置し、又は異なる基地局に位置しても、処理プロセスは同一である。
【００４８】
好適な実例１
図９は本発明実施例による好適な実例１の模式図である。図９に示すように、セル１はＬＴＥのセルであり、支援するコンポーネント搬送波はＣＣ１であり、周波数帯１内に位置する。セル２はＬＴＥのセルであり、セル１の隣接するセルであり、セル２が支援するコンポーネント搬送波はＣＣ２であり、周波数帯１内に位置する。ＵＥの送信設備及び受信設備は１セットのベースバンド設備であり、即ち、１つの単一周波数帯域で、帯域が２０ＭＨｚ未満であり、１つの第１データ通信モジュールがあり、１つのＲＡＣＨモジュールを付加しており、それに対応するＰＨＹ層がある。セル１は基地局１に属し、セル２は基地局２に属する。
【００４９】
図１０は本発明実施例による好適な実例１のフロー図である。以下、図１０に基づいて本実例のプロセスを説明する。
【００５０】
現在、ＵＥはセル１で接続状態にある。ネットワーク側はＵＥに隣接セルの信号品質がサービスセルよりよいトリガ事件（Ａ３）の測定任務（Ｍｅａｓｕｒｅｍｅｎｔ  ｃｏｎｔｒｏｌ）を送り、測定対象搬送波周波数はＣＣ２である。
【００５１】
ＵＥは測定を実行し、セル２のＣＣ２が事件Ａ３のトリガ条件を満たすことを発見し、測定報告（Ｍｅａｓｕｒｅｍｅｎｔ  ｒｅｐｏｒｔ）をネットワーク側に報告する。
【００５２】
ネットワーク側は、ＵＥをセル２（Ｈａｎｄｏｖｅｒ  ｄｅｃｉｓｉｏｎ）に切り替えることを決定し、切替準備命令（Ｈａｎｄｏｖｅｒ  ｒｅｑｕｅｓｔ）をセル２に送信する。
【００５３】
セル２は切替準備命令を受信した後、１つのリードコードを配布し、切替命令（Ｈａｎｄｏｖｅｒ  ｒｅｑｕｅｓｔ  ａｃｋ）に含まれてセル１に送信し、ここで、この切替命令には、セル２が配布した端末のセル２での臨時識別子（Ｃｅｌｌ−Ｒａｄｉｏ  Ｎｅｔｗｏｒｋ  Ｔｅｍｐ  Ｉｄｅｎｔｉｔｙ，Ｃ−ＲＮＴＩと略称）、セル２の情報（例えば、ＣＣ２及びＣＣ２を含む関連情報、セル２の他の情報）を含み、セル１はこの切替命令をＵＥ（ＲＲＣ  ｒｅｃｏｎｆｉｇｕｒａｔｉｏｎ（Ｈａｎｄｏｖｅｒ））に伝送する。
【００５４】
ＵＥは、切替命令を受信した後、ＲＡＣＨモジュールとそれに対応する物理層が切替命令の要求に応じて底層プロトコルの配置を更新し、且つセル２とランダムアクセスプロセスを行う。即ち、端末のＲＡＣＨモジュールはそれに対応する物理層を介してセル２にランダムアクセスリード（Ｍｅｓｓａｇｅ１）（このＭｅｓｓａｇｅ１はセル２が提供した専用リードコード（ｄｅｄｉｃａｔｅｄ  ｐｒｅａｍｂｌｅ）を含み、セル２が端末に配置した専用リソースである）を送信する。
【００５５】
セル２は、Ｍｅｓｓａｇｅ１を受信した後、ＵＥにリソースを予め用意し、ＵＥにＭｅｓｓａｇｅ２（ＴＡ及び／又はＵＥがアップリンクリンクにおいて伝送する授権情報（ＵＬ  ｇｒａｎｔ）を含む）を応答する。
【００５６】
ＵＥはＭｅｓｓａｇｅ２を受信した後、ＲＡＣＨモジュールの機能の実行を終了させ、セル２で実行された衝突なしのランダムアクセスプロセスが終了、ＵＥはセル２とのダウンリンク同期とＴＡを取得し、切替成功と判定し、ユーザ面プロトコルのリセット（リセットはＭＡＣ層リセット、ＰＤＣＰ及びＲＬＣ層の再構築を含む）プロセスを完成し、切替命令の要求に応じて第１のデータ通信モジュールの搬送波に関連するＭＡＣ層とＰＨＹ層の配置、及び搬送波に関連しないＲＲＣ、ＰＤＣＰ、ＲＬＣとＭＡＣ層プロトコルの配置を更新し、ここで、セル２のなりすまし防止アルゴリズム及び暗号化アルゴリズムを用いた底層の配置も含んでおり、セル２との通信を開始し、切替完成を指示するためのＭｅｓｓａｇｅ３（ＨＯ  ｃｏｍｐｌｅｔｅ）をセル２に送信し、セル２はコアネットワークに経路交換(Ｐａｔｈ  Ｓｗｉｔｃｈ)を行うように通知して、第１データ通信モジュールはセル１との通信を中断する。
【００５７】
好適な実例２
図１１は本発明実施例による好適な実例２の模式図である。図１１に示すように、セル１はＬＴＥのセルであり、支援するコンポーネント搬送波はＣＣ１であり、周波数帯１内に位置する。セル２はＬＴＥ−Ａのセルであり、セル１の連接のセルであり、セル２が周波数帯１内に位置し、且つ連続する２つのコンポーネント搬送波、即ちＣＣ３とＣＣ４の集約を支援する。ＵＥの送信設備と受信設備は１セットのベースバンド設備であり、即ち１つの単一周波数帯域で、帯域４０ＭＨｚであり、１つの第１データ通信モジュールがあり、１つのＲＡＣＨモジュールを付加し、それに対応するＰＨＹ層がある。セル１は基地局１に属し、セル２は基地局２に属する。
【００５８】
現在、ＵＥはセル１で接続状態にあり、第１データ通信モジュールはＣＣ１でセル１とのデータ通信に用いられる。ネットワーク側はＵＥに隣接のセルの信号品質がサービスセルよりよいトリガ事件（Ａ３）の測定任務を送り、測定対象搬送波周波数はＣＣ３とＣＣ４である。プロセスは実施例１において図面１０のプロセスを参照し、ここでその説明を省略する。
【００５９】
ＵＥは測定を実行し、セル２のＣＣ３とＣＣ４は事件Ａ３のトリガ条件を満たすことを発見し、測定報告をネットワーク側に報告する。
【００６０】
ネットワーク側はＵＥをセル２に切り替えることを決定し、切替準備命令をセル２に送信する。
【００６１】
セル２は切替準備命令を受信した後、１つのリードコードを配布し、そして、ＵＥがセル２でのランダムアクセスを行う搬送波（例えば、ＣＣ３）として１つのコンポーネント搬送波を選択して、これら情報を切替命令に含ませてセル１に送信し、この切替命令には更にセル２が配布したＣ−ＲＮＴＩ、セル２の情報（例えば、ＣＣ３とＣＣ４、各搬送波の情報、セル２を含む他の情報）を含み、セル１はこの切替命令をＵＥに伝送する。
【００６２】
ＵＥは切替命令を受信した後、ＲＡＣＨモジュールとそれに対応する物理層が切替命令の要求に応じて底層プロトコルの配置を更新し、且つセル２とランダムアクセスプロセスを行う。即ち、端末のＲＡＣＨモジュールはＣＣ３でＭｅｓｓａｇｅ１を送信し、セル２が提供した専用リードコードを含む。
【００６３】
セル２は、Ｍｅｓｓａｇｅ１を受信した後、ＵＥにリソースを予め用意し、ＣＣ３においてＴＡ及び／又はＵＬ  ｇｒａｎｔが含まれるＭｅｓｓａｇｅ２をＵＥに応答する。セル２はセル１によりＭｅｓｓａｇｅ２をＵＥに伝送してもよい。
【００６４】
ＵＥはＣＣ３でＭｅｓｓａｇｅ２を受信した後、ＲＡＣＨモジュールの機能の実行が終了し、セル２での衝突なしランダムアクセスプロセスが終了し、ＵＥはセル２とのダウンリンク同期及びＴＡを取得し、切替プロセス成功と判定し、ユーザ面プロトコルのリセット（リセットはＭＡＣ層リセット、ＰＤＣＰ及びＲＬＣ層の再構築を含む）プロセスを完成し、切替命令の要求に応じて第１のデータ通信モジュールの搬送波に関連するＭＡＣ層とＰＨＹ層の配置、及び搬送波に関連しないＲＲＣ、ＰＤＣＰ、ＲＬＣとＭＡＣ層プロトコルの配置を更新し、ここで、セル２のなりすまし防止アルゴリズムと暗号化アルゴリズムを用いた底層の配置も含んでおり、セル２との通信を開始し、Ｍｅｓｓａｇｅ３（切替完成）メッセージをセル２に送信し、セル２は経路交換を行うようにコアネットワークに通知して、第１のデータ通信モジュールはセル１との通信を完全に中断する。その後、セル２は必要に応じてＣＣ４を追加し、ＣＣ４とＣＣ３とは同期であるかによって、ＵＥはＣＣ４でランダムアクセスプロセスを開始してもよく、又は開始しなくてもよい。
【００６５】
好適な実例３
図１２は本発明実施例による好適な実例３の模式図である。図１２に示すように、セル１はＬＴＥ−Ａのセルであり、２つのコンポーネント搬送波の集約を支援し、即ちＣＣ１とＣＣ２であり、この２つのコンポーネント搬送波は周波数帯１内に位置し、ＣＣ１とＣＣ２は連続しない。セル２はＬＴＥ−Ａのセルであり、セル１の隣接のセルであり、セル２は３つのコンポーネント搬送波の集約を支援し、即ちＣＣ３、ＣＣ４とＣＣ５であり、ＣＣ３とＣＣ４は周波数帯２内に位置し、連続しなく、ＣＣ５は周波数帯３内に位置する。ＵＥの送信設備及び受信設備は３つのセットのベースバンド設備であり、即ち３つの周波数帯域であり、各周波数帯域帯域は２０ＭＨｚより小さく、即ちＵＥは３つの第１データ通信モジュールを有する。セル１とセル２は基地局１に属する。
【００６６】
図１３は本発明実施例による好適な実例３のフロー図である。以下、図１３に基づいて本実例のプロセスを説明する。
【００６７】
現在、ＵＥはセル１で接続状態にあり、ＣＣ１とＣＣ２を同時に使用し、第１のデータ通信モジュール１はＣＣ１でのデータ通信に用いられ、第１のデータ通信モジュール２はＣＣ２でのデータ通信に用いられ、第１のデータ通信モジュール３がフリーである。ネットワーク側はＵＥに隣接のセルの信号品質がサービスセルよりよいトリガ事件（Ａ３）の測定任務を送り、測定対象搬送波周波数はＣＣ３、ＣＣ４とＣＣ５である。
【００６８】
ＵＥは測定を実行し、セル２のＣＣ３、ＣＣ４とＣＣ５が事件Ａ３のトリガ条件を満たすことを発見し、測定報告をネットワーク側に報告する。
【００６９】
ネットワーク側はＵＥをセル２に切り替えることを決定し、切替準備命令をセル２に送信する。
【００７０】
セル２で切替準備命令を受信した後、セル２の情報（例えば、ＣＣ３、ＣＣ４とＣＣ５、及び各搬送波の情報、及びセル２の他の配置情報）を切替命令に含ませてセル１に送信し、この切替命令には更にセル２が配布したＣ−ＲＮＴＩを含み、セル１はＵＥに伝送し、そして、ＵＥに通知して第１のデータ通信モジュール１はセル１とのデータ通信を中断し、第２のデータ通信モジュールに転換し、セル２でランダムアクセスプロセスを開始する。
【００７１】
ＵＥは切替命令を受信した後、第１のデータ通信モジュール１ＣＣ１に関連するＭＡＣ層とＰＨＹ層及びそれに対応する物理層は切替命令の要求に応じて底層プロトコルの配置を更新し、且つセル２とランダムアクセスプロセスを行う。即ち、ＣＣ１でのセル１との通信を中断し、第２のデータ通信モジュールに切替し、ＣＣ３でランダムアクセスプロセスを開始することを選択し、即ちＭｅｓｓａｇｅ１を送信し、公共リードコード（Ｃｏｍｍｏｎ  Ｐｒｅａｍｂｌｅ）を含む。ＵＥは３セットのベースバンド設備を有しているため、この時、ＵＥは第１のデータ通信モジュール１でのセル１との通信を中断しなくてもよく、第１のデータ通信モジュール３を用いて第２のデータ通信モジュールがＣＣ３でセル２のランダムアクセスプロセスを開始することに転換する。
【００７２】
セル２はＭｅｓｓａｇｅ１を受信した後、ＵＥにリソースを予め用意し、ＣＣ３でＴＡ及び／又はＵＬ  ｇｒａｎｔが含まれるＭｅｓｓａｇｅ２をＵＥに応答する。ここで、Ｍｅｓｓａｇｅ２はセル１によりＵＥに伝送してもよい。
【００７３】
ＵＥはＣＣ３においてＭｅｓｓａｇｅ２を受信した後、相関処理を行い、Ｍｅｓｓａｇｅ３（Ｍｅｓｓａｇｅ３は１つのＭＡＣ層のメッセージ又は物理層のメッセージであり、端末のセル２での臨時識別子（Ｃｅｌｌ−Ｒａｄｉｏ  Ｎｅｔｗｏｒｋ  Ｔｅｍｐ  Ｉｄｅｎｔｉｔｙ，Ｃ−ＲＮＴＩと略称）を含む）をセル２に送信する。ここで、ＵＥはセル１から伝送されたＭｅｓｓａｇｅ２を受信すると、Ｍｅｓｓａｇｅ３もセル１を介してセル２に伝送できる。
【００７４】
セル２は受信した後、ＣＣ３でＭｅｓｓａｇｅ４を送信し始め、Ｍｅｓｓａｇｅ４は１つのＭＡＣ層のメッセージ又は物理層のメッセージであり、Ｍｅｓｓａｇｅ４は物理層ＰＤＣＣＨシグナルを含み、ここで、ＰＤＣＣＨシグナル内には端末が目標セルにおいて臨時識別子Ｃ−ＲＮＴＩの内容を含み、コアネットワークに経路交換を行うことを通知する。
【００７５】
ＵＥはＣＣ３でＰＤＣＣＨを受信した後、ランダムアクセス衝突が解決したことを確認し、ＵＥのセル２における衝突ありランダムアクセスプロセスが終了し、ＵＥはセル２とのダウンリンク同期及びＴＡを取得し、これにより、切替プロセス成功と判定し、ユーザ面プロトコルのリセットプロセスを完成する。リセットはＭＡＣ層リセット、ＰＤＣＰ及びＲＬＣ層の再構築を含む。切替命令の要求に応じて第１データ通信モジュール２、３の搬送波に関連するＭＡＣ層とＰＨＹ層の配置、及び搬送波に関連しないＲＲＣ、ＰＤＣＰ、ＲＬＣとＭＡＣ層プロトコルの配置を更新し、ここで、セル２のなりすまし防止アルゴリズム及び暗号化アルゴリズムを用いた底層の配置も含んでおり、ＵＥはセル２との正常通信を開始し、Ｍｅｓｓａｇｅ５（切替完成）をセル２に送信し、ＵＥはセル２との正常通信を開始し、この時、セル１との通信を完全に中断できる。その後、セル２は需要に応じてＣＣ４、ＣＣ５を追加し、ＣＣ４、ＣＣ５とＣＣ３は同期であるかにより、ＵＥはＣＣ４、ＣＣ５でランダムアクセスプロセスを開始でき、又は開始しなくてもよい。
【００７６】
好適な実例４
図１４は本発明実施例による好適な実例４の模式図である。図１４に示すように、セル１はＬＴＥ−Ａのセルであり、周波数帯１内に位置するＣＣ１、ＣＣ２とＣＣ３との連続しない３つのコンポーネント搬送波の集約を支援する。セル２はＬＴＥ−Ａのセルであり、セル１の隣接のセルであり、セル２は周波数帯２内に位置するＣＣ４とＣＣ５との連続しない２つのコンポーネント搬送波の集約を支援する。ＵＥの送信設備及び受信設備は３つのセットのベースバンド設備であり、即ち３つの周波数帯域であり、各周波数帯域帯域は２０ＭＨｚより小さく、即ちＵＥは３つの第１データ通信モジュールを有する。セル１は基地局１に属し、セル２は基地局２に属する。
【００７７】
現在、ＵＥはセル１で接続状態にあり、ＣＣ１、ＣＣ２とＣＣ３を同時に使用し、ＤＣ１、ＤＣ２、ＤＣ３はそれぞれＣＣ１、ＣＣ２、ＣＣ３におけるデータ通信を行う。ネットワーク側はＵＥに隣接セルの信号品質がサービスセルよりよいトリガ事件（Ａ３）の測定任務を送り、測定対象搬送波周波数はＣＣ４とＣＣ５である。このプロセスについて、好適な実例３における図１３を参照し、ここでその説明を省略する。
【００７８】
ＵＥは測定を実行し、セル２のＣＣ４とＣＣ５が事件Ａ３のトリガ条件を満たすことを発見し、測定報告をネットワーク側に報告する。
【００７９】
ネットワーク側はＵＥをセル２に切り替えることを決定し、切替準備命令をセル２に送信する。
【００８０】
セル２で切替準備命令を受信した後、セル２の情報（例えば、ＣＣ４とＣＣ５、各搬送波の情報、及びセル２の他の配置情報を含む）を切替命令に含ませてセル１に送信し、この切替命令は更にセル２が配布したＣＣ４におけるＣ−ＲＮＴＩ４及びＣＣ５におけるＣ−ＲＮＴＩ５を含み、セル１はそれをＵＥに伝送する。
【００８１】
ＵＥは、切替命令を受信した後、第１のデータ通信モジュール１ＣＣ１に関連するＭＡＣ層とＰＨＹ層及びそれに対応する物理層が切替命令の要求に応じて底層プロトコルの配置を更新し、セル２とランダムアクセスプロセスを行うことを決定する。即ちＣＣ１でのセル１との通信を中断し、ＣＣ４でセル２でのランダムアクセスプロセスを行うことを選択し、即ち、公共リードコード及びＣ−ＲＮＴＩ４を含むＭｅｓｓａｇｅ１を送信する。端末は、第１のデータ通信モジュール２ＣＣ２に関連するＭＡＣ層とＰＨＹ層及びそれに対応する物理層が切替命令の要求に応じて底層プロトコルの配置を更新し、セル２とランダムアクセスプロセスを行うことを決定する。すなわち、ＣＣ２でのセル１との通信を中断し、ＣＣ５でセル２でのランダムアクセスプロセスを行うことを選択し、公共リードコード及びＣ−ＲＮＴＩ５を含むＭｅｓｓａｇｅ１を送信する。以下のプロセスについて、ＣＣ４とＣＣ５において、それぞれ独立に行われる。
【００８２】
セル２は、ＣＣ４でのＭｅｓｓａｇｅ１を受信した後、ＵＥにリソースを用意し、ＣＣ４でＴＡ及び／又はＵＬ  ｇｒａｎｔを含むＭｅｓｓａｇｅ２をＵＥに応答する。セル２はＣＣ５でのＭｅｓｓａｇｅ１を受信した後、ＵＥにリソースを用意し、ＣＣ５でＴＡ及び／又はＵＬ  ｇｒａｎｔを含むＭｅｓｓａｇｅ２をＵＥに応答する。
【００８３】
ＵＥはＣＣ４でＭｅｓｓａｇｅ２を受信した後、相関処理を行い、ＣＣ４でＣ−ＲＮＴＩ４を含むＭＡＣ  ＣＥをセル２に送信する。ＵＥはＣＣ５でＭｅｓｓａｇｅ２を受信した後、相関処理を行い、ＣＣ５でＣ−ＲＮＴＩ５を含むＭＡＣ  ＣＥをセル２に送信する。
【００８４】
セル２はＣＣ４でのＭｅｓｓａｇｅ２を受信した後、ＣＣ４において、ＰＤＣＣＨを送信し始める。セル２はＣＣ５でのＭｅｓｓａｇｅ２を受信した後、ＣＣ５において、ＰＤＣＣＨを送信し始める。コアネットワークに経路交換を行うことを通知する。
【００８５】
ＵＥは、ＣＣ４とＣＣ５におけるＰＤＣＣＨを受信した後、ランダムアクセス衝突が解決したことを確認し、セル２での衝突ありランダムアクセスプロセスが終了し、これでセル２とのダウンリンク同期及びＴＡを取得し、切替プロセス成功と判定し、ユーザ面プロトコルのリセットプロセスを完成し、ここで、リセットはＭＡＣ層リセット、ＰＤＣＰ及びＲＬＣ層の再構築を含み、切替命令の要求に応じて第１のデータ通信モジュール３の搬送波に関連するＭＡＣ層とＰＨＹ層の配置、及び搬送波に関連しないＲＲＣ、ＰＤＣＰ、ＲＬＣとＭＡＣ層プロトコルの配置を更新する。セル２のなりすまし防止アルゴリズム及び暗号化アルゴリズムを用いた底層の配置を含み、セル２との正常通信を開始し、Ｍｅｓｓａｇｅ５（切替完成）をセル２に送信する。ＵＥはＣＣ４におけるＰＤＣＣＨのみを受信すると、ＣＣ４におけるランダムアクセス衝突が既に解決したと判定でき、セル２での衝突ありのランダムアクセスプロセスが終わり、セル２とのダウンリンク同期及びＴＡを取得し、切替成功と判定し、ユーザ面プロトコルのリセットプロセスを完成し、ここで、リセットはＭＡＣ層リセット、ＰＤＣＰ及びＲＬＣ層の再構築を含み、切替命令の要求に応じて第１のデータ通信モジュール２、３の搬送波に関連するＭＡＣ層とＰＨＹ層の配置、及び搬送波に関連しないＲＲＣ、ＰＤＣＰ、ＲＬＣとＭＡＣ層プロトコルの配置を更新する。セル２のなりすまし防止アルゴリズム及び暗号化アルゴリズムを用いた底層の配置を含み、ＵＥはＣＣ４でセル２との正常通信を開始し、Ｍｅｓｓａｇｅ５（切替完成）をセル２に送信し、ＣＣ５はＣＣ４が正常通信した後に加入してもよい。ＵＥはＣＣ５でのＰＤＣＣＨのみを受信すると、ＣＣ５でのランダムアクセス衝突が既に解決したと判定し、セル２の衝突ありのランダムアクセスプロセスが終わり、セル２とのダウンリンク同期及びＴＡを取得し、切替プロセス成功と判定し、ユーザ面プロトコルのリセットプロセスを完成し、リセットはＭＡＣ層リセット、ＰＤＣＰ及びＲＬＣ層の再構築を含み、切替命令の要求に応じて第１のデータ通信モジュール１、３の搬送波に関連するＭＡＣ層とＰＨＹ層の配置、及び搬送波に関連しないＲＲＣ、ＰＤＣＰ、ＲＬＣとＭＡＣ層プロトコルの配置を更新する。セル２のなりすまし防止アルゴリズム及び暗号化アルゴリズムを用いた底層の配置を含んでおり、ＵＥはＣＣ５でセル２との正常通信を開始し、Ｍｅｓｓａｇｅ５（切替完成）をセル２に送信し、ＣＣ５はＣＣ４が正常通信した後に加入してもよい。この時、第１のデータ通信モジュール３においてセル１との通信を中断する。
【００８６】
好適な実例５
図１５は本発明実施例による好適な実例５の模式図である。図１５に示すように、セル１はＬＴＥ−Ａのセルであり、周波数帯１内に位置するＣＣ１とＣＣ２との２つの連続しないコンポーネント搬送波の集約を支援する。セル２はＬＴＥのセルであり、セル１の隣接のセルであり、周波数帯１内に位置するＣＣ５という１つの搬送波のみを支援する。ＵＥの送信設備及び受信設備は１つのセットのベースバンド設備であり、即ち１つの単一周波数帯域であり、帯域４０ＭＨｚ、１つの第１のデータ通信モジュールを有しており、１つのＲＡＣＨモジュールが付加されている。セル１は基地局１に属し、セル２は基地局２に属する。
【００８７】
現在、ＵＥはセル１で接続状態にあり、ＣＣ１とＣＣ２を同時に使用し、ＤＣはＣＣ１及びＣＣ２でのデータ通信を行う。ネットワーク側はＵＥに隣接セルの信号品質がサービスセルよりよいトリガ事件（Ａ３）の測定任務を送り、測定対象搬送波周波数はＣＣ５である。プロセスについては、実施例１の図面１０におけるプロセスを参照し、ここでその説明を省略する。
【００８８】
ＵＥは、測定を実行し、セル２が事件Ａ３のトリガ条件を満たすことを発見し、測定報告をネットワーク側に報告する。
【００８９】
ネットワーク側は、ＵＥをセル２に切り替えることを決定し、切替準備命令をセル２に送信する。
【００９０】
セル２は切替準備命令を受信した後、１つのリードコードを配布し、これらの情報を切替命令に含ませてセル１に送信し、この切替命令には更にセル２が配布したＣ−ＲＮＴＩ、セル２の他の配置情報を含み、セル１によりＵＥに伝送される。
【００９１】
ＵＥは、切替命令を受信した後、ＲＡＣＨモジュール及びそれに対応する物理層は切替命令の要求に応じて底層プロトコルの配置を更新し、且つセル２とランダムアクセスプロセスを行う。即ちＲＡＣＨモジュールはセル２でのランダムアクセスプロセスを開始し、ＣＣ５でセル２が提供した専用リードコードを含むＭｅｓｓａｇｅ１を送信する。
【００９２】
セル２はＭｅｓｓａｇｅ１を受信した後、ＵＥにリソースを予め用意し、ＴＡ及び／又はＵＬ  ｇｒａｎｔを含むＭｅｓｓａｇｅ２をＵＥに応答する。ＵＥの実現を簡単化するために、ここで、Ｍｅｓｓａｇｅ２はＵＥに直接送信するのではなく、Ｘ２又はＳ１を介してセル１に送信し、セル１を介してＵＥに伝送してもよい。この場合に、端末ＲＡＣＨモジュールはそれに対応する物理層のアップリンク搬送波リソースを使用すればよい。
【００９３】
ＵＥはＣＣ５においてＭｅｓｓａｇｅ２を受信した後、相関処理を行い、ＲＡＣＨモジュールの機能を実行し終え、ＵＥはセル２での衝突なしのランダムアクセスプロセスを終了し、ＵＥはセル２とのダウンリンク同期及びＴＡを取得し、切替プロセス成功と判定し、ユーザ面プロトコルのリセットプロセスを完成し、リセットはＭＡＣ層リセット、ＰＤＣＰ及びＲＬＣ層の再構築を含み、切替命令の要求に応じて第１のデータ通信モジュールの搬送波に関連するＭＡＣ層とＰＨＹ層の配置、及び搬送波に関連しないＲＲＣ、ＰＤＣＰ、ＲＬＣとＭＡＣ層プロトコルの配置を更新する。セル２のなりすまし防止アルゴリズム及び暗号化アルゴリズムを用いた底層の配置を含んでおり、セル２との正常通信を開始し、切替完成メッセージをセル２に送信し、セル２は経路交換を行うようにコアネットワークに通知して、セル１との通信を中断する。
【００９４】
総じていえば、本発明の上述実施例によれば、移動性管理において切替の中断時間を短縮更に除去でき、シームレス切替の目的を達成し、ユーザのサービス体験を向上させる。
【００９５】
当業者にとって、上述の本発明の各モジュール又は、各ステップは汎用の計算装置によって実現することができ、単独の計算装置に集中させてもよいし、複数の計算装置から構成されるネットワークに分布させてもよく、或は計算装置が実行可能なプログラムのコードによって実現することもできるので、それらを記憶装置に記憶させて計算装置によって実行することができ、また、ある場合には、示された或は述べられたステップが上記のと異なる順序で実行されてもよく、又はそれらがそれぞれ単独の集積回路ブロックとして構成され、又はそれらにおける複数のモジュール又はステップを単独の集積回路モジュールとして構成されることで実現できることは明らかなことである。このように、本発明は如何なる指定のハードウェアとソフトウェアの結合にも限定されない。
【００９６】
以上は本発明の好ましい実施例であり、本発明を限定するものではない。当業者であれば、本発明に、各種の変更と変化をもたらすことが可能である。本発明の精神と原則から逸脱しない範囲内で行われる如何なる変更や同等置換または改良などは、すべて本発明の保護範囲に含まれるものとする。
【図１】
2013516869.tif 000003
【図２】
2013516869.tif 000004
【図３】
2013516869.tif 000005
【図４】
2013516869.tif 000006
【図５】
2013516869.tif 000007
【図６】
2013516869.tif 000008
【図７】
2013516869.tif 000009
【図８】
2013516869.tif 000010
【図９】
2013516869.tif 000011
【図１０】
2013516869.tif 000012
【図１１】
2013516869.tif 000013
【図１２】
2013516869.tif 000014
【図１３】
2013516869.tif 000015
【図１４】
2013516869.tif 000016
【図１５】
2013516869.tif 000017
【国際調査報告】
2013516869.tif 000018
2013516869.tif 000019
2013516869.tif 000020
2013516869.tif 000021
2013516869.tif 000022
2013516869.tif 000023